(57)【特許請求の範囲】
【請求項１】
フード部を有する上衣とズボンとが一体に形成されたツナギ型の防護服であって、
防護服の前身頃の中央に開閉部が形成されておらず、
少なくとも防護服の前身頃と後身頃の脇下の接合部上を通るように、袖部の先端部から腰部に掛けて開閉自在な開閉部が形成され、
前記開閉部が開放された時には前記袖部の先端部が切り離される、防護服。
【請求項２】
前記開閉部は、前記袖部の先端部から脇部までの接合部上を通るように形成されている、請求項１に記載の防護服。
【請求項３】
前記開閉部は、前記腰部から脚部まで延設されている、請求項１又２に記載の防護服。
【請求項４】
前記開閉部は、ファスナーにより構成され、当該ファスナーのスライダーが前記袖部の先端部側から前記腰部側に移動することにより開放される、請求項１〜３のいずれかに記載の防護服。
【請求項５】
閉じたときに前記開閉部を覆い、開いたときに前記開閉部を露出させるカバー部材をさらに有する、請求項１〜４のいずれかに記載の防護服。
【発明の詳細な説明】
【技術分野】
【０００１】
本発明は、フード部を有する上衣とズボンとが一体に形成されたツナギ型の防護服に関する。
【背景技術】
【０００２】
例えばインフルエンザなどのウィルスや細菌の感染を防ぐ防護服として、フード付きの上衣とズボンとを一体に形成したツナギ型の防護服がある。
【０００３】
この種の防護服は、前面中央の首根元辺りから股辺りに掛けて開閉自在なファスナーが設けられているものが一般的であり、このファスナーを開いて防護服を着脱できる（特許文献１、２参照。）。脱衣の際には、ファスナーを開いて前面中央を開口し、初めにフードを脱ぐ。その後前開きの開口部から肩を抜き、続いて腕を抜いて上半身を脱衣し、その後下半身を脱衣している。
【先行技術文献】
【特許文献】
【０００４】
【特許文献１】特開２００５−２３４６０号公報
【特許文献２】特開２００１−１１６８８６号公報
【発明の概要】
【発明が解決しようとする課題】
【０００５】
しかしながら、上述のような防護服は、前面中央を開口しても、ツナギ型であるため、ズボン部分により上衣部分の動きが制限され、肩を抜き難い。加えて、両肩部分に繋がっているフードが、前開きの開口部の左右の開きを制限するため、肩を抜く作業がさらに困難となる。肩が抜けないと腕を抜く動きに移行できないため、脱衣が困難で、脱衣に時間がかかってしまう。よって、上述のような前開きの防護服は、例えば医療従事者が防護服を迅速に脱衣して患者に次の処理を施したいような場合にも脱衣に時間がかかり、対応が遅れる原因にもなり得る。
【０００６】
また、防護服には、一般的にウィルスなどの防護対象物に対して防護性の高い特殊な生地が用いられる。そして、防護服の前身頃と後身頃などの生地の縫合部には、防護性が低くなる可能性があるため、テープや布を張り付けるなどして防護性を高める措置が施されることがある。上述の防護服は、前面中央の生地に切り開きがあるため、その部分にも防護性を高める措置が必要になる。この結果、防護服の製造工程が多くなり、製造に手間がかかって、コストも高くなる。また、防護服の前面中央に生地の切り開きがあること自体、防護性の観点からすると好ましくない。
【０００７】
本発明は、かかる点に鑑みてなされたものであり、脱衣し易く、製造が容易で十分な防護性を確保できる防護服を提供することをその目的とする。
【課題を解決するための手段】
【０００８】
上記目的を達成するための本発明は、フード部を有する上衣とズボンとが一体に形成されたツナギ型の防護服であって、防護服の前身頃の中央に開閉部が形成されておらず、少なくとも防護服の前身頃と後身頃の脇下の接合部上を通るように、袖部の先端部から腰部に掛けて開閉自在な開閉部が形成され、前記開閉部が開放された時には前記袖部の先端部が切り離される。
【０００９】
本発明によれば、開閉部が袖部の先端部から腰部に掛けて形成されているため、従来のように体で幅の広い上半身前面部分に対して防護服を開口して脱ぐのではなく、幅の狭い上半身側面部分に対して防護服を開口して脱ぐことができる。よって、防護服の開閉部を幅方向に大きく開く必要がなく、脱衣し易く、脱衣を迅速に行うことができる。また、開閉部は、従来の前開きの首根元から股までの開閉部に比べて約２倍程度の長さを確保できるので、この点からも脱衣し易く、脱衣を迅速に行うことができる。また、開閉部が、前身頃と後身頃の脇下の接合部上を通るので、開閉部のために生地が切り開かれることがなく、身頃の接合部を利用して開閉部を形成できる。よって、従来のような前面中央の生地の切り開き部分がなくなるので、防護服の製造が容易になる。また、防護服の十分な防護性を確保できる。
【００１０】
前記開閉部は、前記袖部の先端部から脇部までの接合部上を通るように形成されていてもよい。かかる場合、袖部の接合部を利用して開閉部を形成できるので、さらに防護服の製造が容易になり、高い防護性を確保できる。
【００１１】
前記開閉部は、前記腰部から脚部まで延設されていてもよい。かかる場合、開閉部がさらに長くなるので、脱衣をより容易に行うことができる。
【００１２】
前記開閉部は、ファスナーにより構成され、当該ファスナーのスライダーが前記袖部の先端部側から前記腰部側に移動することにより開放されるようにしてもよい。このため、頭に近い袖部側が初めに開放されるので、例えばファスナーをすべて開放しなくても頭から脱ぎ始めることができる。よって、より迅速に脱衣できる。
【００１３】
以上の防護服は、閉じたときに前記開閉部を覆い、開いたときに前記開閉部を露出させるカバー部材をさらに有していてもよい。
【発明の効果】
【００１４】
本発明によれば、防護服を短時間で迅速に脱衣できる。また、防護性の高い安価な防護服を実現できる。
【図面の簡単な説明】
【００１５】
【図１】本実施の形態にかかる防護服を示す図である。
【図２】開閉部が開放された状態の防護服の図である。
【図３】開閉部の部分拡大図である。
【図４】開閉部が脚部まで延設された防護服の図である。
【図５】改良前の前開きの防護服を示す図である。
【発明を実施するための形態】
【００１６】
以下、図面を参照して、本発明の好ましい実施の形態について説明する。図１は、本実施の形態にかかる防護服１の一例を示す説明図である。
【００１７】
防護服１は、上衣１０とズボン１１が一体に形成されたツナギ型のものである。上衣１０は、フード部２０、胴体部２１及び１対の袖部２２を有し、ズボン１１は、１対の脚部２３を有している。
【００１８】
例えば上衣１０の片側の側部には、袖部２２の先端部２２ａから胴体部２１の腰部２１ａに掛けて開閉自在な開閉部３０が形成されている。なお、ここで、腰部とは、防護服の脇と股の中間若しくは中間より下側のいずれかの部分をいう。本実施の形態では、腰部２１ａは、ズボン１１と接合する胴体部２１の下端に位置する。また、ここで、袖部の先端部とは、袖部の脇と袖口の中間より先端側のいずれかの部分をいう。本実施の形態では、袖部２２の先端部２２ａは、袖部２２の袖口に位置する。
【００１９】
開閉部３０は、袖部２２の下縁の先端部２２ａから脇部２２ｂまでの接合部Ａと、胴体部２１の前身頃２１ｂと後身頃２１ｃの脇下の接合部Ｂに沿って一続きの線状に形成されている。
【００２０】
開閉部３０は、ファスナー４０により構成されている。例えばファスナー４０の上止が袖部２２の先端部２２ａに設置され、下止が腰部２１ａに設置されており、図２に示すようにファスナー４０のスライダー４０ａを袖部２２の先端部２２ａ側から腰部２１ａ側に移動させることにより開閉部３０を開放できる。逆に、スライダー４０ａを腰部２１ａ側から袖部２２の先端部２２ａ側に移動させることにより開閉部３０を閉鎖できる。ファスナー４０を開けた時には、袖部２２の先端部２２ａが完全に切り離される。
【００２１】
また、図３に示すように開閉部３０近傍には、閉じたときに開閉部３０を覆い、開いたときに開閉部３０を露出させるカバー部材５０が設けられている。カバー部材５０は、例えば長方形の帯状に形成されている。カバー部材５０は、長辺の一辺が開閉部３０の脇に沿って縫合され、当該縫合部を軸に回動して、開閉部３０に対し開閉できる。カバー部材５０の内面部分と、閉じた時にカバー部材５０が接触する部分には、面ファスナー５１が設けられ、この面ファスナー５１によりカバー部材５０を閉じた状態で固定できる。カバー部材５０は、例えば他の部分の生地と同材質で形成されている。
【００２２】
防護服１の製造は、例えば次のように行われる。先ず、生地がフード部２０、胴体部２１の前身頃２１ｂ、後身頃２１ｃ、袖部２２、脚部２３等の各パーツに裁断され、それぞれのパーツが互いに縫合或いは溶着されて接合される。なお、生地の素材や構造等は、防護服１の目的に応じて適宜選択される。この際に、片側の袖部２２の先端部２２ａから脇部２２ｂに掛けた生地の接合部Ａと、胴体部２１の片側の脇下の前身頃２１ｂと後身頃２１ｃの生地の接合部Ｂは、縫合或いは溶着されない。そして、接合部Ａ、Ｂ上にファスナー４０が縫合或いは溶着により取り付けられ、開閉部３０が形成される。なお、接合部Ａ、Ｂとは、本来接合されるべき裁断時の生地の縁部であり、実際に接合されているか否かは問わない。
【００２３】
防護服１の着衣、脱衣は次のように行われる。防護服１を着衣する際には、体を開閉部３０の開口から防護服１内に入れて防護服１を装着し、続いてファスナー４０のスライダー４０ａを腰部２１ａから袖部２２の先端部２２ａに移動させて、ファスナー４０を閉めて開閉部３０を閉鎖する。その後、カバー部材５０を閉じて開閉部３０を覆う。
【００２４】
防護服１を脱衣する際には、カバー部材５０を開き開閉部３０を露出させる。ファスナー４０のスライダー４０ａを袖部２２の先端部２２ａから腰部２１ａに移動させ、ファスナー４０を開けて開閉部３０を開放する。この時点で、開閉部３０のある片方の腕が脱衣する。続いて開閉部３０の開口から頭を出す。このときフード部２０が一緒に脱げる。その後開閉部３０の開口からもう片方の腕を脱衣し、ズボン１１を脱いで脱衣が完了する。
【００２５】
以上の実施の形態によれば、開閉部３０が袖部２２の先端部２２ａから腰部２１ａに掛けて形成されているため、従来のように体で幅の広い上半身前面部分に対して防護服を開口して脱ぐのではなく、幅の狭い上半身側面部分に対して防護服１を開口して脱ぐことができる。よって、防護服１の開閉部３０を幅方向に大きく開く必要がなく、脱衣し易く、脱衣を迅速に行うことができる。また、開閉部３０は、従来の前開きの首根元から股までの開閉部に比べて約２倍程度の長さを確保できるので、この点からも脱衣し易く、脱衣を迅速に行うことができる。また、開閉部３０が、胴体部２１の前身頃２１ｂと後身頃２１ｃの脇下の接合部Ｂ上を通るので、身頃の接合部Ｂを利用して開閉部３０を形成できる。よって、従来のような前面中央部の切り開き部分がなくなり、防護服１の製造が容易になり、十分な防護性を確保できる。加えて、防護服１の側面から頭を出して脱げるので、防護服１が裏返しになるように脱衣でき、表面の付着物が体に触れにくくなる。
【００２６】
開閉部３０は、袖部２２の先端部２２ａから脇部２２ｂまでの接合部Ａ上も通るので、袖部２２の接合部Ａを利用して開閉部３０を形成でき、さらに防護服１の製造が容易になり、高い防護性を確保できる。
【００２７】
開閉部３０は、ファスナー４０により構成され、ファスナー４０のスライダー４０ａが袖部２２の先端部２２ａ側から腰部２１ａ側に移動することにより開放される。このため、頭に近い袖部２２側が初めに開放されるので、例えばファスナー４０をすべて開放しなくても頭から脱ぎ始めることができる。よって、より迅速に脱衣できる。
【００２８】
開閉部３０近傍には、閉じて開閉部３０を覆い、開いて開閉部３０を露出させるカバー部材５０が設けられているので、開閉部３０の防護性をさらに上げることができる。なお、本実施の形態において、面ファスナー５１によりカバー部材５０の閉状態を固定していたが、ボタンやホック、両面テープなどの他の固定部材により固定してもよい。
【００２９】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３０】
例えば以上の実施の形態では、開閉部３０は、袖部２２の先端部２２ａから腰部２１ａまでであったが、図４に示すように腰部２１ａからズボン１１の脚部２３の先端部２３ａまで延設されていてもよい。かかる場合、開閉部３０がさらに長くなるので、脱衣をより容易に行うことができる。なお、開閉部３０は、必ずしも脚部２３の先端部２３ａまで達している必要はなく、脚部２３の途中までであってもよい。また、開閉部３０は、ズボン１１の腰側から裾側に向かう接合部上に形成されていてもよい。
【００３１】
また、以上の実施の形態では、開閉部３０は、ファスナー４０のスライダー４０ａが袖部２２の先端部２２ａ側から腰部２１ａ側に移動することにより開放されたが、逆にスライダー４０ａが腰部２１ａ側から袖部２２の先端部２２ａ側に移動することによって開放されるようにしてもよい。また、以上の実施の形態では、開閉部３０が防護服１の片側の側面にのみ形成されていたが、両側に形成されていてもよい。また、本発明は、ウィルスや細菌の他、虫などの生物から身を護るものや、化学物質や放射線などから身を護るもの、耐熱、耐水、耐圧のためのものなど他の用途の防護服に適用できる。
【実施例】
【００３２】
本実施の形態に係る防護服１と、前開き式の防護服との脱衣時間を比較する実験を行った。本実験では、図５に示すように前開き式の防護服１００として、前面中央にフード部１０１の首根元１０２から股１０３にかけてファスナー付き開閉部１０４が形成されているものが用いられた。実験は、無作為に選ばれた５人が防護服１と防護服１００をそれぞれ脱衣し、脱衣に要した時間を計測することで行った。実験の結果は、防護服１の脱衣の５人の平均時間は２８秒であり、防護服１００の脱衣の５人の平均時間は４７秒であった。防護服１は防護服１００の約４０％の時間で脱衣できた。
【産業上の利用可能性】
【００３３】
本発明は、脱衣し易く、製造が容易で十分な防護性を確保できる防護服を実現する際に有用である。
【符号の説明】
【００３４】
１  防護服
１０  上衣
１１  ズボン
２０  フード部
２１  胴体部
２１ａ  腰部
２１ｂ  前身頃
２１ｃ  後身頃
２２  袖部
２２ａ  先端部
２２ｂ  脇部
３０  開閉部
４０  ファスナー
４０ａ  スライダー
Ａ、Ｂ  接合部
【図１】
0005560065.tif 000002
【図２】
0005560065.tif 000003
【図３】
0005560065.tif 000004
【図４】
0005560065.tif 000005
【図５】
0005560065.tif 000006